(57)【要約】【課題】底板の側縁部を確実に支持し、底板の側縁部と下枠の側面内側部との隙間から雨水が入り込み難い出窓を提供する。【解決手段】建物の躯体の開口に取付けられる出窓本体２と、該出窓本体２の上部に設けられる屋根３と、前記開口の窓台４に当接される窓台対向部材５と、前記出窓本体２の下部を形成する下枠９または幅木１０と、前記窓台対向部材５と下枠９または幅木１０で区画された領域に設けられた底板１９とを備え、前記底板１９は窓台対向部材５と下枠９または幅木１０の正面内側部９ｅ，１０ａとの間に室外側へ向って下り傾斜で掛け渡されると共に、底板１９の側縁部１９ｃに上方または下方に折曲された側片部４７を有し、該側片部４７が下枠９または幅木１０の側面内側部９ｆ，１０ｂに支持されている。【選択図】          図５
2004211396.tif 000002
【特許請求の範囲】
【請求項１】
建物の躯体の開口に取付けられる出窓本体と、該出窓本体の上部に設けられる屋根と、前記開口の窓台に当接される窓台対向部材と、前記出窓本体の下部を形成する下枠または幅木と、前記窓台対向部材と下枠または幅木で区画された領域に設けられた底板とを備え、前記底板は窓台対向部材と下枠または幅木の正面内側部との間に室外側へ向って下り傾斜で掛け渡されると共に、底板の側縁部に上方または下方に折曲された側片部を有し、該側片部が下枠または幅木の側面内側部に支持されていることを特徴とする出窓。
【発明の詳細な説明】
【０００１】
【発明の属する技術分野】
本発明は、出窓に係り、特に出窓本体の下部に設けられる底板の支持構造を改良した出窓に関する。
【０００２】
【従来の技術】
出窓は、建物の躯体にこれよりも室外側に張出した状態で取付けられる出窓本体を有し、この出窓本体の上部には天板や屋根が設けられ、出窓本体の下部にはテーブル板や底板が設けられている。出窓は、前記開口の窓台に当接される窓台対向部材（水切り部材ともいう）を有しており、この窓台対向部材と出窓本体の下部の例えば下枠とで区画された領域にこれを覆うように前記底板が取付けられている。この底板は、前記窓台対向部材と下枠の間に掛け渡される補強ブラケットや前記出窓本体下部の内部領域に充填される断熱材等が露出しないように底部を隠すために取付けられている。
【０００３】
一方、前記底板の下面を伝わって雨水が外壁側に流れ、外壁面に染みができたりして外壁面が汚れるのを防止するために、前記底板を室内側から室外側に向って下り傾斜で取付けた出窓が提案されるに至っている（実公昭６３−４３３４３号公報、特許第２８７９７２０号公報参照）。
【０００４】
【特許文献１】
実公昭６３−４３３４３号公報
【特許文献２】
特許第２８７９７２０号公報
【０００５】
【発明が解決しようとする課題】
しかしながら、前記出窓においては、前記底板が窓台対向部材と下枠の正面内側部との間に室外側へ向って下り傾斜で掛け渡されており、底板の側縁部が傾斜している構造上、その支持が難しく、このため、風の巻き上げなどにより底板の側縁部と下枠の側面内側部との隙間から雨水が入り込み易いという問題があった。
【０００６】
本発明は、前記事情を考慮してなされたもので、底板の側縁部を確実に支持し、底板の側縁部と下枠の側面内側部との隙間から雨水が入り込み難い出窓を提供することを目的とする。
【０００７】
【課題を解決するための手段】
本発明は、建物の躯体の開口に取付けられる出窓本体と、該出窓本体の上部に設けられる屋根と、前記開口の窓台に当接される窓台対向部材と、前記出窓本体の下部を形成する下枠または幅木と、前記窓台対向部材と下枠または幅木で区画された領域に設けられた底板とを備え、前記底板は窓台対向部材と下枠または幅木の正面内側部との間に室外側へ向って下り傾斜で掛け渡されると共に、底板の側縁部に上方または下方に折曲された側片部を有し、該側片部が下枠または幅木の側面内側部に支持されていることを特徴とする。
【０００８】
【発明の実施の形態】
以下に、本発明の実施の形態を添付図面に基いて詳述する。図１は本発明の実施の形態を示す出窓の概略的縦断面図、図２は同出窓の部分的横断面図、図３は下枠補強ユニットの斜視図、図４は出窓の底板部を示す部分的斜視図、図５は同底板部を斜め下方から見た部分的分解斜視図である。
【０００９】
図１ないし図２において、１は出窓で、建物の躯体の開口に取付けられる出窓本体２と、この出窓本体２の上部に設けられる屋根３と、前記開口の窓台４に当接される窓台対向部材（水切り部材ともいう）５と、この窓台対向部材５及び窓台４に基部が固定され、先端部１１ｘが前記出窓本体２の下枠９の下部に設けられる幅木１０を保持する補強ブラケット１１とを備えている。
【００１０】
図示例の出窓１は、いわゆる弓形の出窓（ボウウインド）であり、建物の躯体例えば左右の柱１２に固着具例えばネジ１３で取付固定される左右の縦枠６を有し、両縦枠６間には複数例えば３本の方立７が平面略弓形に配置されている。縦枠６と方立７の上端部間及び方立の上端部間に上枠８が掛け渡され、縦枠と方立の下端部間及び方立の下端部間に下枠９が掛け渡されている。出窓本体２は、これらの複数の枠材６〜９によって組立てられ、組立てられた出窓本体２の正面開口部には嵌め殺し窓のガラス１４が取付けられ、側面開口部には縦辷り窓の障子１５が取付けられている。
【００１１】
前記枠材６〜９及び障子１５の框材は例えば金属形材例えばアルミニウム合金の押出形材からなり、各金属形材の室内露出部には合成樹脂製の形材が取付けられ、室内外の断熱性の向上が図られている。下枠９下部の見栄えを良くするために、下枠９の下部には平面略弓形に設けられた幅木１０がネジ１６で取付けられている。出窓本体２の上部には天板１７や屋根３が設けられ、出窓本体２の下部にはテーブル板１８や底板１９が設けられている。また、左右の縦枠６の上端部間には天板見切り縁２０が掛け渡されている。
【００１２】
前記窓台対向部材５は、本実施例では図３に示すように平面弓形の幅木１０の両端部間に掛け渡されてネジ２１で固定されている。この窓台対向部材５は例えばアルミニウム合金の押出形材からなり、横長の板状に形成されている。この窓台対向部材５は、前記窓台４の上面に係止される窓台係止片部２２と、室外側下部横片部２３と、上縁部にテーブル板１８の下面との間をシールする気密材２４を取付けるための気密材取付溝部２５とを有している。主として前記窓台対向部材５、補強ブラケット１１及び幅木１０により出窓本体２の下枠部分を補強する下枠補強ユニット２６が構成されている。２７は、縦枠６を受けるクッション材である。
【００１３】
前記補強ブラケット１１は、断面逆Ｕ字状に形成された剛性を有する金属材からなり、その基部が窓台対向部材５の室外面に鍔部２８を介して当接されてリベット２９で固着されている。窓台対向部材５の上縁部には補強ブラケット１１が室内外に貫通し得る切欠部３０が設けられ、補強ブラケット１１の基部詳しくは後端部１１ｃが窓台対向部材５よりも室内側に突出されており、その後端部１１ｃ下面が鍔部３１を介して前記窓台係止片部２２上にリベット３２で固着されている。また、後端部１１ｃ下面には窓台４上に当接されてネジ３３で固定される鍔部３４も形成されている。
【００１４】
補強ブラケット１１の本数は、出窓の幅により決定され、図示例では窓台対向部材５の中央部に１本であるが、２本或いは３本以上複数本であってもよい。前記幅木１０の内周には溝部３５が設けられ、前記補強ブラケット１１の先端部１１ｘは幅木１０の溝部３５に差込まれ、リベット３６で固定されている。このように構成された下枠補強ユニット２６の幅木１０の上部に出窓本体２の下枠９がネジ１６で固定されて、出窓本体２と下枠補強ユニット２６が一体化されている。
【００１５】
前記下枠９、すなわち正面下枠及び側面下枠には、これらで区画された形状のテーブル板１８の室外側周縁部を差込んで保持するテーブル板保持溝部３７が形成され、テーブル板１８の室外側周縁部がそのテーブル板保持溝部３７に差込まれてネジ３８で固定されている。テーブル板１８は、出窓本体２を躯体に取付けた後、室内側から補強ブラケット１１の上面に沿ってスライドさせることにより前記テーブル板保持溝部３７に差込まれ、簡単にセットできる。
【００１６】
また、補強ブラケット１１を一体的に有する窓台対向部材５により下枠部分の強度の向上が図れると共に、テーブル板保持溝部３７、補強ブラケット１１及び窓台対向部材５の上縁部により格子状に複数に区画されて略同一平面とされた上面部にテーブル板１８を載置するようにして、テーブル板１８の支持強度の向上を図っているため、テーブル板１８を強度メンバーとする必要がなく、従ってテーブル板１８の薄型化が図れると共にテーブル板１８を必要以上に強固に固定する必要がない。また、テーブル板１８の室内側後端部を固定するために、補強ブラケット１１の後端部１１ｃには引掛部３９が水平に突出形成され、テーブル板１８にはその引掛部３９に係合する係合溝部４０が形成されており、これによりテーブル板１８の持上がりが防止されている。
【００１７】
一方、前記補強ブラケット１１は、前記窓台対向部材５よりも室外側が前後すなわち前端部材１１ａと基部材１１ｂに二分割されていると共に、基部材１１ｃに対して前端部材１１ａをジャッキアップするためのジャッキ機構例えばねじ部材４２が設けられていることが好ましいが、通常のものであってもよい。図示例では、前記前端部材１１ａは、その後端部が基部材１１ｂ内に挿入し得るように基部材１１ｂの内幅よりも若干小さい外幅に形成され、その後端部が基部材１１ｂに水平の支軸４３を介して垂直回動自在に支持されている。前記ねじ部材４２は基部材１１ｂの上面部の前端側に設けた孔部から挿入され、前記前端部材１１ａの後端部側の両側部間に水平に掛け渡された横材（例えば横軸）４６に垂直に設けられたネジ穴に螺合されている。
【００１８】
ねじ部材４２の頭部には回転工具である例えば六角レンチを係合させるための係合凹部が設けられ、これによりねじ部材４２を回転し得るようになっている。
なお、前端部材１１ａ及び基部材１１ｂ（後端部１１ｃを含む）の上面部には長手方向に沿って溝４９が設けられ、この溝４９内に前記ねじ部材４２の頭部が収容されていることが好ましい。ねじ部材４２を緩めると前端部材１１ａが支軸４３を支点に下降し、ねじ部材４２を締めると前端部材１１ａが支軸４３を支点に上昇しジャッキアップされる。
【００１９】
前記出窓本体２の下部における窓台対向部材５と下枠９及び幅木１０で区画された領域には図示しない断熱材が設けられる。そして、前記窓台対向部材５と幅木１０で区画された領域には該領域を下方から覆うべく底板１９が設けられている。前記底板１９は、図１、図４ないし図５に示すように、窓台対向部材５と幅木１０の正面内側部１０ａとの間に室外側へ向って下り傾斜で掛け渡されると共に、底板１９の側縁部１９ｃに下方に折曲された側片部４７を有し、該側片部４７が幅木１０の側面内側部１０ｂに支持されている。
【００２０】
前記窓台対向部材５の室外側下部横片部２３の前縁部には底板１９の後縁部（室内側端部）ｂの高さを前縁部（室外側縁部）ａよりも高くするための立上り部２３ａが設けられ、この立上り部２３ａの上縁部には室内側に折曲した鍔部２３ｂが形成されている。前記底板１９の後縁部１９ｂには前記立上り部２３ａの鍔部２３ｂに引掛けられる断面略Ｖ字状に折曲した引掛け部４５が形成されている。また、底板１９の前縁部１９ａには上方に折曲した立上り片部４６が形成され、この立上り片部４６が幅木１０の正面内側部１０ａの溝部３５に挿入嵌合されるようになっている。
【００２１】
前記底板１９の両側縁部１９ｃに下向きに折曲された側片部４７は、図５に示すように幅木１０の側面内側部１０ｂの溝部３５に挿入され、その溝部３５の下鍔部３５ｘ上に支持されている。この場合、側片部４７は、底板１９を所定の傾斜角度で支持すべく、高さが前縁部１９ａから後縁部１９ｂに漸次増大して形成されている。前記側片部４７の下端部は、その全長にわたって前記幅木１０の側面内側部１０ｂにおける溝部３５の下鍔部３５ｘ上に当接して支持されている。
このような支持構造とすることにより、底板１９の側縁部１９ｃを確りと支持することができ、底板１９の側縁部１９ｃと幅木１０の側面内側部１０ｂとの隙間から雨水が入り込み難くなっている。
【００２２】
前記幅木１０の溝部３５には、底板１９の上面を傾斜に沿って前縁部１９ａまで流下した雨水等の水を左右に排水するための排水孔４８が形成されている。この場合、底板１９の前縁部１９ａの立上り片部４６及びこれと対応する幅木１０の溝部３５にも排水孔（図示省略）が形成されていてもよい。前記底板１９は、その後縁部１９ｂが前記窓台対向部材５の立上り部２３ａの鍔部２３ｂに固着具例えばネジ若しくはリベット４９で固定されることが好ましい。この底板１９の取付け後に、窓台対向部材５と下枠９及び幅木１０で区画された内部に断熱材（図示省略）が上方から充填される。
【００２３】
以上の構成からなる出窓１によれば、建物の躯体の開口に取付けられる出窓本体と、該出窓本体２の上部に設けられる屋根３と、前記開口の窓台４に当接される窓台対向部材５と、前記出窓本体２の下部を形成する幅木１０と、前記窓台対向部材５と幅木１０で区画された領域に設けられた底板１９とを備え、前記底板１９は窓台対向部材５と幅木１０の正面内側部１０ａとの間に室外側へ向って下り傾斜で掛け渡されると共に、底板１９の側縁部１９ｃに下方に折曲された側片部４７を有し、該側片部４７が幅木１０の側面内側部１０ｂに支持されているため、底板１９の側縁部１９ｃを確りと支持することができ、底板１９の側縁部１９ｃと幅木１０の側面内側部１０ｂとの隙間から雨水が入り込むのを抑制ないし防止することができる。また、窓台対向部材５と下枠９及び幅木１０で区画された内部に雨水等の水が入ったとしても、底板１９が室外側へ傾斜しているため、水を室外側へ容易に排水することができる。
【００２４】
図６は他のタイプの出窓の概略的断面図、図７は同出窓の部分的横断面図、図８は出窓の底板部を示す部分的斜視図、図９は同底板の部分的斜視図である。本実施例において、前記実施例と同一部分は同一符号を付して説明を省略する。本実施例の出窓１は、平面台形の出窓で、出窓本体２の正面開口部には嵌め殺し窓のガラス１４が取付けられ、側面開口部には開き窓の障子５０が取付けられている。
【００２５】
前記出窓１は、建物の躯体の開口に取付けられる出窓本体２と、該出窓本体２の上部に設けられる屋根３と、前記開口の窓台４に当接される窓台対向部材５と、前記出窓本体２の下部を形成する下枠９と、前記窓台対向部材５と下枠９で区画された領域に設けられた底板１９とを備え、前記底板１９は窓台対向部材５と下枠９の正面内側部９ｅとの間に室外側へ向って下り傾斜で掛け渡されると共に、底板１９の側縁部１９ｃに上方に折曲された側片部４７を有し、該側片部４７が下枠９の側面内側部９ｆに固定片部４７ａと鍔部９ｘを介して支持されている。
【００２６】
下枠９は、正面下枠９Ａと、側面下枠９Ｂとからなり、その正面下枠９Ａの内側部（下枠の正面内側部）９ｅには溝幅の大きい上部溝部３５ａと、溝幅の狭い下部溝部３５ｂとが設けられ、その上部溝部３５ａに補強ブラケット１１の先端部１１ｘが挿入され、ネジ５１で固定されている。前記底板１９の前縁部１９ａの立上り片部４６は、更に室内側斜め上方へ折曲されており、この底板１９の前縁部１９ａが前記正面下枠９Ａの下部溝部３５ｂに挿入嵌合されている。
【００２７】
前記底板１９の両側縁部１９ｃに上向きに折曲された側片部４７は、図８ないし図９に示すように、底板１９を所定の傾斜角度で支持すべく、高さが前縁部１９ａから後縁部１９ｂに漸次減少して形成されている。前記側片部４７の上端部は、外向きに折曲した固定片部４７ａが長手方向に沿って形成されている。前記側面下枠９Ｂの内側部（下枠の側面内側部）９ｆにはその長手方向に沿って鍔部９ｘが設けられ、この鍔部９ｘの下面に前記底板１９の側片部１９ｃの固定片部４７ａが当接されてネジ５２で固定されるようになっている。このような支持構造とすることにより、底板１９の側縁部１９ｃを確りと支持することができ、底板１９の側縁部１９ｃと下枠９の側面内側部９ｆとの隙間から雨水が入り込み難くなっている。底板１９の側縁部１９ｃの前縁部側には方立７との干渉を避けるための切欠部５３が設けられており、傾斜した底板１９の上面を流下した雨水等の水が左右の切欠部５３から下方に排水されるようになっている。
【００２８】
本実施例の出窓１によれば、建物の躯体の開口に取付けられる出窓本体２と、該出窓本体２の上部に設けられる屋根３と、前記開口の窓台４に当接される窓台対向部材５と、前記出窓本体２の下部を形成する下枠９と、前記窓台対向部材５と下枠９で区画された領域に設けられた底板１９とを備え、前記底板１９は窓台対向部材５と下枠９の正面内側部９ｅとの間に室外側へ向って下り傾斜で掛け渡されると共に、底板１９の側縁部１９ｃに上方に折曲された側片部４７を有し、該側片部４７が下枠９の側面内側部９ｆに固定片部４７ａと鍔部９ｘで支持されているため、底板１９の側縁部１９ｃを確りと支持することができ、底板１９の側縁部１９ｃと下枠９の側面内側部９ｆとの隙間から雨水が入り込入り込むのを抑制ないし防止することができる。また、窓台対向部材５と下枠９で区画された内部に雨水等の水が入ったとしても、底板１９が室外側へ傾斜しているため、水を室外側へ容易に排水することができる。
【００２９】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、実施例では補強ブラケット１１が基部に後端部１１ｃを一体に有する場合が示されているが、補強ブラケット１１は基部に後端部１１ｃを一体または別体で有していればよい。後端部１１ｃが別体の場合は、後端部１１ｃが窓台対向部材５の室内面にリベット等で固着されている。また、実施例の補強ブラケット１１は前後に分割されて前端部材１１ａがジャッキアップ可能に構成されているが、補強ブラケットは前後に分割されていなくても良い。
【００３０】
【発明の効果】
以上要するに本発明によれば、建物の躯体の開口に取付けられる出窓本体と、該出窓本体の上部に設けられる屋根と、前記開口の窓台に当接される窓台対向部材と、前記出窓本体の下部を形成する下枠または幅木と、前記窓台対向部材と下枠または幅木で区画された領域に設けられた底板とを備え、前記底板は窓台対向部材と下枠または幅木の正面内側部との間に室外側へ向って下り傾斜で掛け渡されると共に、底板の側縁部に上方または下方に折曲された側片部を有し、該側片部が下枠または幅木の側面内側部に支持されているため、底板の側縁部を確実に支持することができ、底板の側縁部と下枠または幅木の側面内側部との隙間から雨水が入り込み難い。
【図面の簡単な説明】
【図１】本発明の実施の形態を示す出窓の概略的縦断面図である。
【図２】同出窓の部分的横断面図である。
【図３】下枠補強ユニットの斜視図である。
【図４】出窓の底板部を示す部分的斜視図である。
【図５】同底板部を斜め下方から見た部分的分解斜視図である。
【図６】他のタイプの出窓の概略的断面図である。
【図７】同出窓の部分的横断面図である。
【図８】出窓の底板部を示す部分的斜視図である。
【図９】同底板の部分的斜視図である。
【符号の説明】
１  出窓
２  出窓本体
３  屋根
４  窓台
５  窓台対向部材
９  下枠
１０  幅木
１１  補強ブラケット
１９  底板
４７  側片部
【図１】
2004211396.tif 000003
【図２】
2004211396.tif 000004
【図３】
2004211396.tif 000005
【図４】
2004211396.tif 000006
【図５】
2004211396.tif 000007
【図６】
2004211396.tif 000008
【図７】
2004211396.tif 000009
【図８】
2004211396.tif 000010
【図９】
2004211396.tif 000011